(57)【要約】【課題】  画像データを装置間で送信する際に、画像データの傍受からの保護を図り、秘匿性を向上させた画像通信方法、画像通信システム、画像送信装置および画像受信装置を提供する。【解決手段】  動画像送信装置２において、動画像信号はA/D変換部２０でデジタル信号に変換され、動画像符号化部２１で符号化および圧縮され、データ分離部２２で２種類の画像データに分離され、それぞれのデータは送信部２３の電波送信部２４および光送信部２５から送信される。送信された分離済みの各データは動画像受信装置３において、受信部３０の電波受信部３１および光受信部３２により、それぞれ受信される。そして、データ結合部３３で分離データが結合されて、動画像復号化部３４で元の画像データに復号され、D/A変換部３５で動画像信号に変換される。【選択図】      図１
2005204220.tif 000002
【特許請求の範囲】
【請求項１】
画像送信装置から画像受信装置へ画像データを送信する画像通信方法であって、
画像信号に符号化を含む所定の処理を施して得られた画像データを含む、該画像データの復号化に必要なデータを複数に分けて、通信方式、通信規格および通信論理のいずれか一つの異なる少なくとも２系統の送信部を介して、前記画像送信装置から送信する送信工程と、
前記少なくとも２系統の送信部に対応する少なくとも２系統の受信部を介して、画像受信装置が前記複数に分けて送信されたデータを受信する受信工程とを備えたことを特徴とする画像通信方法。
【請求項２】
画像送信装置から画像受信装置へ画像データを送信する画像通信方法であって、
符号化された画像データを少なくとも２種類の画像データに分離するデータ分離工程と、
通信方式、通信規格および通信論理のいずれか一つの異なる少なくとも２系統の送信部を介して、前記画像送信装置から前記分離された画像データを別々に送信する送信工程と、
前記少なくとも２系統の送信部に対応する少なくとも２系統の受信部を介して、前記画像受信装置が前記分離して送信された画像データを別々に受信する受信工程と、
前記受信工程で受信した前記分離された画像データを結合するデータ結合工程とを備えたことを特徴とする画像通信方法。
【請求項３】
画像送信装置から画像受信装置へ画像データを送信する画像通信方法であって、
画像信号を符号化する画像符号化工程と、
前記符号化された画像データを少なくとも２種類の画像データに分離するデータ分離工程と、
通信方式、通信規格および通信論理のいずれか一つの異なる少なくとも２系統の送信部を介して、前記画像送信装置から前記分離された画像データを別々に送信する送信工程と、
前記少なくとも２系統の送信部に対応する少なくとも２系統の受信部を介して、前記画像受信装置が前記分離して送信された画像データを別々に受信する受信工程と、
前記受信工程で受信した前記分離された画像データを結合するデータ結合工程と、
前記符号化された画像データを復号化し画像信号に変換する画像復号化工程とを備えたことを特徴とする画像通信方法。
【請求項４】
画像送信装置と画像受信装置を備えた画像通信システムであって、
前記画像送信装置は、画像信号に符号化を含む所定の処理を施して得られた画像データを含む、該画像データの復号化に必要なデータを複数に分けて送信するとともに、通信方式、通信規格および通信論理のいずれか一つの異なる少なくとも２系統の送信部を備え、
前記画像受信装置は、前記少なくとも２系統の送信部に対応するとともに前記複数に分けて送信されたデータを別々に受信する少なくとも２系統の受信部を備えたことを特徴とする画像通信システム。
【請求項５】
画像送信装置と画像受信装置を備えた画像通信システムであって、
前記画像送信装置は、符号化された画像データを少なくとも２種類の画像データに分離するデータ分離部と、
前記分離された画像データを別々に送信するとともに、通信方式、通信規格および通信論理のいずれか一つの異なる少なくとも２系統の送信部とを備え、
前記画像受信装置は、前記少なくとも２系統の送信部に対応するとともに前記分離して送信された画像データを別々に受信する少なくとも２系統の受信部と、
前記受信部で受信した前記分離された画像データを結合するデータ結合部とを備えたことを特徴とする画像通信システム。
【請求項６】
画像送信装置と画像受信装置を備えた画像通信システムであって、
前記画像送信装置は、画像信号を符号化する画像符号化部と、
前記符号化された画像データを少なくとも２種類の画像データに分離するデータ分離部と、
前記分離された画像データを別々に送信するとともに、通信方式、通信規格および通信論理のいずれか一つの異なる少なくとも２系統の送信部とを備え、
前記画像受信装置は、前記少なくとも２系統の送信部に対応するとともに前記分離して送信された画像データを別々に受信する少なくとも２系統の受信部と、
前記受信部で受信した前記分離された画像データを結合するデータ結合部と、
前記符号化された画像データを復号化し画像信号に変換する画像復号化部とを備えたことを特徴とする画像通信システム。
【請求項７】
請求項５または請求項６に記載の画像通信システムであって、
前記データ分離部で分離され、前記データ結合部で結合される２種類の画像データは、動画像データであり、基準フレームデータと基準フレームとの差分データであることを特徴とする画像通信システム。
【請求項８】
請求項５または請求項６に記載の画像通信システムであって、
前記データ分離部で分離され前記データ結合部で結合される２種類の画像データは、画像を離散コサイン変換したＤＣ成分データを含むデータとそれ以外の成分データであることを特徴とする画像通信システム。
【請求項９】
請求項５または請求項６に記載の画像通信システムであって、
前記データ分離部で分離され前記データ結合部で結合される２種類の画像データは、暗号キーデータを含む前記分離された画像データの暗号化データと、それ以外の前記分離された画像データの暗号化データであることを特徴とする画像通信システム。
【請求項１０】
請求項４に記載の画像通信システムであって、
前記符号化を含む所定の処理とは符号化処理ののちの暗号化処理を含み、前記少なくとも２系統の送信部および受信部で伝送される前記データは前記暗号化処理された暗号化データと暗号キーデータであることを特徴とする画像通信システム。
【請求項１１】
請求項４〜請求項６のいずれか一項に記載の画像通信システムであって、
前記少なくとも２系統の送信部および受信部は、各系統のうち少なくとも２系統で通信方式が異なり、その異なる通信方式が電波通信と光通信を含むことを特徴とする画像通信システム。
【請求項１２】
請求項４〜請求項６のいずれか一項に記載の画像通信システムであって、
前記少なくとも２系統の送信部および受信部は、各系統のうち少なくとも２系統で通信規格が異なることを特徴とする画像通信システム。
【請求項１３】
請求項４〜請求項６のいずれか一項に記載の画像通信システムであって、
前記少なくとも２系統の送信部および受信部は、各系統のうち少なくとも２系統で通信論理が異なり、その異なる通信論理は、同一の規格を用いた通信であるが、論理的に独立した通信であることを特徴とする画像通信システム。
【請求項１４】
請求項４に記載の画像通信システムにおける画像送信装置であって、
請求項４に記載の前記少なくとも２系統の送信部を備えたことを特徴とする画像送信装置。
【請求項１５】
請求項４に記載の画像通信システムにおける画像受信装置であって、
請求項４に記載の前記少なくとも２系統の受信部を備えたことを特徴とする画像受信装置。
【請求項１６】
請求項５〜請求項９、請求項１１〜請求項１３のいずれか一項に記載の画像通信システムにおける画像送信装置であって、
請求項５〜請求項９、請求項１１〜請求項１３のいずれか一項に記載の、前記データ分離部および前記送信部を備えたことを特徴とする画像送信装置。
【請求項１７】
請求項５〜請求項９、請求項１１〜請求項１３のいずれか一項に記載の画像通信システムにおける画像受信装置であって、
請求項５〜請求項９、請求項１１〜請求項１３のいずれか一項に記載の、前記受信部および前記データ結合部を備えたことを特徴とする画像受信装置。
【請求項１８】
請求項６〜請求項９、請求項１１〜請求項１３のいずれか一項に記載の画像通信システムにおける画像送信装置であって、
請求項６〜請求項９、請求項１１〜請求項１３のいずれか一項に記載の、前記画像符号化部、前記データ分離部および前記送信部を備えたことを特徴とする画像送信装置。
【請求項１９】
請求項６〜請求項９、請求項１１〜請求項１３のいずれか一項に記載の画像通信システムにおける画像受信装置であって、
請求項６〜請求項９、請求項１１〜請求項１３のいずれか一項に記載の、前記受信部、前記データ結合部および前記画像復号化部を備えたことを特徴とする画像受信装置。
【請求項２０】
請求項６〜請求項９、請求項１１〜請求項１３のいずれか一項に記載の画像通信システムにおける画像受信装置であって、
請求項６〜請求項９、請求項１１〜請求項１３のいずれか一項に記載の、前記受信部、前記データ結合部、前記画像復号化部および画像信号に基づく画像を表示する表示部を備えたことを特徴とする画像受信装置。
【発明の詳細な説明】
【技術分野】
【０００１】
本発明は、２つの装置間で画像データを送信する画像通信方法、画像通信システム、画像送信装置および画像受信装置に関するものである。
【背景技術】
【０００２】
近年、画像をスクリーンに拡大投写する複数のプロジェクタをネットワークで接続し、１台のパソコンで所定のコンテンツ情報を要望どおりに投影することができるようにした制御システムなどが提案されている（特許文献１）。また、プロジェクタにも、無線通信の機能が付加されてきており、無線通信を利用して映画などの画像コンテンツを使用する状況が考えられる。
【０００３】
【特許文献１】特開２００３−１９８９９４号公報
【発明の開示】
【発明が解決しようとする課題】
【０００４】
このような状況の中、無線通信などによる通信段階で、通信した画像データが第三者により傍受が行われ、違法に画像データをコピーされることが考えられる。そのため、画像の著作権が脅かされる事態が起こることが懸念されている。
本発明は、上記課題に鑑みてなされたものであり、画像データを装置間で送信する際に、画像データの傍受からの保護を図り、秘匿性を向上させた画像通信方法、画像通信システム、画像送信装置および画像受信装置を提供することを目的とする。
【課題を解決するための手段】
【０００５】
上述した課題を解決し、目的を達成するために、本発明の画像通信方法は、画像送信装置から画像受信装置へ画像データを送信する画像通信方法であって、画像信号に符号化を含む所定の処理を施して得られた画像データを含む、画像データの復号化に必要なデータを複数に分けて、通信方式、通信規格および通信論理のいずれか一つの異なる少なくとも２系統の送信部を介して、画像送信装置から送信する送信工程と、少なくとも２系統の送信部に対応する少なくとも２系統の受信部を介して、画像受信装置が複数に分けて送信されたデータを受信する受信工程とを備えたことを特徴とする。
このような画像通信方法により、送信工程で少なくとも２系統の送信部を介して送信し、受信工程で少なくとも２系統の受信部を介して、それぞれ受信できる。また、第三者が、画像信号に符号化を含む所定の処理を施して得られた画像データを含む、画像データの復号化に必要なデータを、１系統の通信により傍受して、画像データを再生しようとしても、それだけでは、利用できる画像データにはならない。よって、画像データを保護することができ、秘匿性が向上する。
【０００６】
また、本発明の画像通信方法は、画像送信装置から画像受信装置へ画像データを送信する画像通信方法であって、符号化された画像データを少なくとも２種類の画像データに分離するデータ分離工程と、通信方式、通信規格および通信論理のいずれか一つの異なる少なくとも２系統の送信部を介して、画像送信装置から分離された画像データを別々に送信する送信工程と、少なくとも２系統の送信部に対応する少なくとも２系統の受信部を介して、画像受信装置が分離して送信された画像データを別々に受信する受信工程と、受信工程で受信した分離された画像データを結合するデータ結合工程とを備えたことを特徴とする。
このような画像通信方法により、符号化された画像データを少なくとも２種類に分離し、少なくとも２系統の送信部と受信部を介して通信し、画像データを結合できる。また、第三者が分離された１種類の画像データを１系統の通信により傍受して、画像データを再生しようとしても、それだけでは、利用できる画像データにはならない。よって、画像データを保護することができ、秘匿性が向上する。
【０００７】
また、本発明の画像通信方法は、画像送信装置から画像受信装置へ画像データを送信する画像通信方法であって、画像信号を符号化する画像符号化工程と、符号化された画像データを少なくとも２種類の画像データに分離するデータ分離工程と、通信方式、通信規格および通信論理のいずれか一つの異なる少なくとも２系統の送信部を介して、画像送信装置から分離された画像データを別々に送信する送信工程と、少なくとも２系統の送信部に対応する少なくとも２系統の受信部を介して、画像受信装置が分離して送信された画像データを別々に受信する受信工程と、受信工程で受信した分離された画像データを結合するデータ結合工程と、受信工程で受信した分離された画像データを結合するデータ結合工程と、符号化された画像データを復号化し画像信号に変換する画像復号化工程とを備えたことを特徴とする。
このような画像通信方法により、画像信号を符号化し、符号化された画像データを少なくとも２種類の画像データに分離し、少なくとも２系統の送信部と受信部を介して通信し、画像データを結合し、復号化を行える。また、第三者が分離された１種類の画像データを１系統の通信により、傍受して画像データを再生しようとしても、それだけでは、利用できる画像データにはならない。よって、画像データを保護することができ、秘匿性が向上する。
【０００８】
また、本発明の画像通信システムは、画像送信装置と画像受信装置を備えた画像通信システムであって、画像送信装置は、画像信号に符号化を含む所定の処理を施して得られた画像データを含む、画像データの復号化に必要なデータを複数に分けて送信するとともに、通信方式、通信規格および通信論理のいずれか一つの異なる少なくとも２系統の送信部を備え、画像受信装置は、少なくとも２系統の送信部に対応するとともに複数に分けて送信されたデータを別々に受信する少なくとも２系統の受信部を備えたことを特徴とする。
このような画像通信システムにより、少なくとも２系統の送信部で送信し、少なくとも２系統の受信部で別々に受信できる。また、第三者が、画像信号に符号化を含む所定の処理を施して得られた画像データを含む、画像データの復号化に必要なデータを、１系統の通信により傍受して、画像データを再生しようとしても、それだけでは、利用できる画像データにはならない。よって、画像データを保護することができ、秘匿性が向上する。
【０００９】
また、本発明の画像通信システムは、画像送信装置と画像受信装置を備えた画像通信システムであって、画像送信装置は、符号化された画像データを少なくとも２種類の画像データに分離するデータ分離部と、分離された画像データを別々に送信するとともに、通信方式、通信規格および通信論理のいずれか一つの異なる少なくとも２系統の送信部とを備え、画像受信装置は、少なくとも２系統の送信部に対応するとともに分離して送信された画像データを別々に受信する少なくとも２系統の受信部と、受信部で受信した分離された画像データを結合するデータ結合部とを備えたことを特徴とする。
このような画像通信システムにより、符号化された画像データを少なくとも２種類に分離し、少なくとも２系統の送信部と受信部を介して通信し、画像データを結合できる。また、第三者が分離された１種類の画像データを１系統の通信により傍受して、画像データを再生しようとしても、それだけでは、利用できる画像データにはならない。よって、画像データを保護することができ、秘匿性が向上する。
【００１０】
また、本発明の画像通信システムは、画像送信装置と画像受信装置を備えた画像通信システムであって、画像送信装置は、画像信号を符号化する画像符号化部と、符号化された画像データを少なくとも２種類の画像データに分離するデータ分離部と、分離された画像データを別々に送信するとともに、通信方式、通信規格および通信論理のいずれか一つの異なる少なくとも２系統の送信部とを備え、画像受信装置は、少なくとも２系統の送信部に対応するとともに分離して送信された画像データを別々に受信する少なくとも２系統の受信部と、受信部で受信した分離された画像データを結合するデータ結合部と、符号化された画像データを復号化し画像信号に変換する画像復号化部とを備えたことを特徴とする。
このような画像通信システムにより、画像信号を符号化し、符号化された画像データを少なくとも２種類に分離し、少なくとも２系統の送信部と受信部を介して通信し、画像データを結合し、復号化を行える。また、第三者が分離された１種類の画像データを１系統の通信により、傍受して画像データを再生しようとしても、それだけでは、利用できる画像データにはならない。よって、画像データを保護することができ、秘匿性が向上する。
【００１１】
また、本発明の好ましい態様によれば、データ分離部で分離され、データ結合部で結合される２種類の画像データは、動画像データであり、基準フレームデータと基準フレームとの差分データであることを特徴とする。
このような画像通信システムにより、２種類の画像データとして、基準フレームデータと基準フレームとの差分データとに分離され、送信できる。また、どちらか一方の画像データが第三者によって傍受されても、その画像データだけでは、利用できる画像データとして生成できない。よって、画像データを保護することができ、秘匿性が向上する。
【００１２】
また、本発明の好ましい態様によれば、データ分離部で分離されデータ結合部で結合される２種類の画像データは、画像を離散コサイン変換したＤＣ成分データを含むデータとそれ以外の成分データであることを特徴とする。
このような画像通信システムにより、２種類の画像データとして、画像を離散コサイン変換（Discrete Cosine Transform:ＤＣＴ）したＤＣ成分データを含むデータとそれ以外の成分とに分離され、送信できる。また、どちらか一方の画像データが第三者によって傍受されても、その画像データだけでは、利用できる画像データとして生成できない。よって、画像データを保護することができ、秘匿性が向上する。
【００１３】
また、本発明の好ましい態様によれば、データ分離部で分離されデータ結合部で結合される２種類の画像データは、暗号キーデータを含む分離された画像データの暗号化データと、それ以外の分離された画像データの暗号化データであることを特徴とする。
このような画像通信システムにより、２種類の分離された画像データに対して、暗号キーデータを含む分離された画像データの暗号化データと、それ以外の分離された画像データの暗号化データとに変換され、送信できる。また、どちらか一方のデータが第三者によって傍受されても、そのデータだけでは、利用できる画像データとして生成できない。よって、画像データを保護することができ、秘匿性が向上する。
【００１４】
また、本発明の好ましい態様によれば、符号化を含む所定の処理とは符号化処理ののちの暗号化処理を含み、少なくとも２系統の送信部および受信部で伝送されるデータは暗号化処理された暗号化データと暗号キーデータであることを特徴とする。
このような画像通信システムにより、符号化を含む所定の処理とは符号化処理ののちの暗号化処理を含み、少なくとも２系統の送信部および受信部で伝送されるデータは暗号化処理された暗号化データと暗号キーデータの２種類のデータとして送信できる。また、どちらか一方のデータが第三者によって傍受されても、そのデータだけでは、利用できる画像データとして生成できない。よって、画像データを保護することができ、秘匿性が向上する。
【００１５】
また、本発明の好ましい態様によれば、少なくとも２系統の送信部および受信部は、各系統のうち少なくとも２系統で通信方式が異なり、その異なる通信方式が電波通信と光通信を含むことを特徴とする。
このような画像通信システムにより、２系統の送信部および受信部は、電波通信と光通信でそれぞれ通信できる。光通信により、光の直進性のため電波のような漏洩がなく、秘匿性が向上する。そして、どちらか１系統の通信方式によってデータが第三者に傍受されても、そのデータだけでは、利用できる画像データとして生成できない。よって、画像データを保護することができる。
【００１６】
また、本発明の好ましい態様によれば、少なくとも２系統の送信部および受信部は、各系統のうち少なくとも２系統で通信規格が異なることを特徴とする。
このような画像通信システムにより、２系統の送信部および受信部は、通信規格が異なり、例えばIEEE802.11b（Institute of Electronic and Electronics Engineers 802.11b）規格とIEEE802.11a（Institute of Electronic and Electronics Engineers 802.11a）規格でそれぞれ通信できる。また、どちらか１系統の通信規格によってデータが第三者に傍受されても、そのデータだけでは、利用できる画像データとして生成できない。よって、画像データを保護することができ、秘匿性が向上する。
【００１７】
また、本発明の好ましい態様によれば、少なくとも２系統の送信部および受信部は、各系統のうち少なくとも２系統で通信論理が異なり、その異なる通信論理は、同一の規格を用いた通信であるが、論理的に独立した通信であることを特徴とする。
このような画像通信システムにより、２系統の送信部および受信部は、同一の規格を用いた通信であるが、論理的に独立した通信、例えばIEEE802.11bの通信規格であり、通信帯域として1ch（チャンネル）と5chとを使用してそれぞれ通信できる。また、どちらか一方の論理的に独立した通信によってデータが第三者に傍受されても、そのデータだけでは、利用できる画像データとして生成できない。よって、画像データを保護することができ、秘匿性が向上する。
【００１８】
また、本発明の好ましい態様によれば、画像送信装置は、画像信号に符号化を含む所定の処理を施して得られた画像データを含む、画像データの復号化に必要なデータを複数に分けて送信するとともに、通信方式、通信規格および通信論理のいずれか一つの異なる少なくとも２系統の送信部を備えたことを特徴とする。
このような画像送信装置により、画像信号に符号化を含む所定の処理を施して得られた画像データを含む、該画像データの復号化に必要なデータを、２系統の送信部を介して送信できる。また、第三者が１系統の通信により１種類の画像データを、傍受して画像データを再生しようとしても、それだけでは、利用できる画像データにはならない。よって、画像データを保護でき、秘匿性が向上する。
【００１９】
また、本発明の好ましい態様によれば、画像受信装置は、少なくとも２系統の送信部に対応するとともに複数に分けて送信されたデータを別々に受信する少なくとも２系統の受信部を備えたことを特徴とする。
このような画像受信装置により、少なくとも２系統の送信部に対応する少なくとも２系統の受信部により受信できる。また、第三者が１系統の通信により１種類の画像データを、傍受して画像データを再生しようとしても、それだけでは、利用できる画像データにはならない。よって、画像データを保護でき、秘匿性が向上する。
【００２０】
また、本発明の好ましい態様によれば、画像送信装置であって、データ分離部および送信部を備えたことを特徴とする。
このような画像送信装置により、画像データを分離して送信できる。また、第三者が１種類の画像データを１系統の通信により、傍受して画像データを再生しようとしても、それだけでは、利用できる画像データにはならない。よって、画像データを保護でき、秘匿性が向上する。
【００２１】
また、本発明の好ましい態様によれば、画像受信装置であって、受信部およびデータ結合部を備えたことを特徴とする。
このような画像受信装置により、画像データを受信して結合できる。また、第三者が１種類の画像データを１系統の通信により、傍受して画像データを再生しようとしても、それだけでは、利用できる画像データにはならない。よって、画像データを保護でき、秘匿性が向上する。
【００２２】
また、本発明の好ましい態様によれば、画像送信装置であって、画像符号化部、データ分離部および送信部を備えたことを特徴とする。
このような画像送信装置により、画像データを符号化し、そして分離して送信することができる。また、第三者が１種類の画像データを１系統の通信により、傍受して画像データを再生しようとしても、それだけでは、利用できる画像データにはならない。よって、画像データを保護でき、秘匿性が向上する。
【００２３】
また、本発明の好ましい態様によれば、画像受信装置であって、受信部、データ結合部および画像復号化部を備えたことを特徴とする。
このような画像受信装置により、画像データを受信し、結合し、復号化できる。また、第三者が１種類の画像データを１系統の通信により、傍受して画像データを再生しようとしても、それだけでは、利用できる画像データにはならない。よって、画像データを保護でき、秘匿性が向上する。
【００２４】
また、本発明の好ましい態様によれば、画像受信装置であって、受信部、データ結合部、画像復号化部および画像信号に基づく画像を表示する表示部を備えたことを特徴とする。
このような画像受信装置により、画像データを受信し、結合し、復号化し、更に表示することができる。
【発明を実施するための最良の形態】
【００２５】
以下、本発明の第１実施形態を図面に基づいて説明する。
図１は本発明の画像通信システムの概略構成図である。
本発明の画像通信システムである動画像通信システム１は、画像送信装置としての動画像送信装置２と画像受信装置としての動画像受信装置３とから構成されている。動画像送信装置２は動画像を送信し、動画像受信装置３は動画像送信装置２から送信された動画像の符号化データを受信する。
動画像送信装置２は、外部から入力される動画像信号を動画像デジタル信号に変換するA/D変換部２０と、動画像デジタル信号に変換された信号を符号化しデータ圧縮する動画像符号化部２１と、符号化された動画像データを２種類の動画像データに分離するデータ分離部２２と、分離された２種類の動画像データを送信する送信部２３とから構成されている。
また、送信部２３は分離された２種類の動画像データのうち、一方の動画像データを、電波を使用し送信する電波送信部２４と、他方の動画像データを、光を使用して送信する光送信部２５とから構成されている。
【００２６】
また、動画像受信装置３は、動画像送信装置２から送信された動画像データを受信する受信部３０と、受信した２種類の動画像データを結合するデータ結合部３３と、結合された動画像データを復号化する動画像復号化部３４と、復号化した動画象データをアナログ信号に変換し動画像信号として出力するD/A変換部３５から構成されている。
なお、受信部３０は、動画像送信装置２の電波送信部２４から送信される１種類の動画像データを受信する電波受信部３１と、光送信部２５から送信される１種類の動画像データを受信する光受信部３２とから構成されている。
【００２７】
また、動画像送信装置２は、外部から直接入力される符号データに対して、入力された符号データをデータ分離部２２で分離し、分離した動画像データを前述したと同様に送信部２３で送信できるようにも構成されている。
また、動画像受信装置３は、動画像送信装置２から送信された動画像データを受信する受信部３０と受信した動画像データを結合するデータ結合部３３とで構成し、結合した符号データを外部に出力できるようにも構成されている。
【００２８】
本実施形態の動画像通信システム１において、動画像符号化部２１では、入力された動画像信号を、図２に示すＭＰＥＧ１でのデータ構造に基づいて符号化を行う。
ここでＭＰＥＧ（Moving Picture Expert Group）は、動画像信号をデジタル化して、そのデジタル信号を記録や通信する場合、そのままだと膨大なデータ量となるため、デジタル信号を符号化しデータを圧縮し、データ量を削減するための代表的な符号化方式である。
【００２９】
図２に示す各データ層について簡単に説明する。
（ブロック層）
ブロック層のブロックは、輝度または色差の隣り合った、例えば８ライン×８画素から構成される。離散コサイン変換（以後、ＤＣＴ変換という）はこの単位で実行される。
【００３０】
（マクロブロック層）
マクロブロック層のマクロブロックは、例えば画像のフォーマットが４：２：０（輝度と２つの色差信号の、情報量の比が４：２：０）である場合、左右および上下に隣り合った４つの輝度ブロックと、画像上では同じ位置にあるＣｂ,Ｃｒそれぞれの色差ブロックとの全部で６つのブロックで構成される。伝送の順はＹ０,Ｙ１,Ｙ２,Ｙ３,Ｃｂ,Ｃｒである。動き補償モードに何を用いるか、予測誤差を送らなくて良いかなどは、この単位で判断される。
【００３１】
（スライス層）
スライス層は、画像の走査順に連なる１つまたは複数のマクロブロックで構成される。スライスの先頭では、最初のマクロブロックは画像内での位置を持っており、エラーが起こった場合でも復帰できるように考慮されている。そのためスライスの長さ、始まる位置は任意で、伝送路のエラー状態によって変えられるようになっている。
【００３２】
（ピクチャ層）
ピクチャすなわち１枚１枚の画像は、少なくとも１つ又は複数のスライスから構成される。そして、符号化される方式に従って、Ｉピクチャ（Intra-coded picture：フレーム内符号化画像）、Ｐピクチャ（Predictive-coded picture：前方向予測符号化画像）、Ｂピクチャ（Bidirectionally predictive-coded picture：双方向予測符号化画像）に分類される。なお、Ｉピクチャ、Ｐピクチャ、Ｂピクチャについては図３を用いて後述する。
【００３３】
（ＧＯＰ層）
ＧＯＰ（Grope of Picture）は、１または複数枚のＩピクチャと、０または複数枚のＰピクチャおよびＢピクチャから構成される。
（シーケンス層）
シーケンスは画像サイズ、画像レート等が同じ、１または複数のＧＯＰから構成される。
【００３４】
図３は本実施形態の動画像通信システム１において、動画像符号化部２１、データ分離部２２、データ結合部３３、動画像復号化部３４の動画像データの流れを示す説明図である。
【００３５】
ここで、ピクチャ構成について説明する。
ピクチャは、１または複数枚のフレーム内符号化画像であるＩピクチャと、０または複数枚の前方向予測符号化画像であるＰピクチャ、または、双方向予測符号化画像であるＢピクチャとから構成されている。
【００３６】
Ｉピクチャはフレーム間予測を使用せずに生成されるため、復号するとき、Ｉピクチャのみの情報で画像を復元できる。ＰピクチャはＩピクチャまたはＰピクチャから順方向予測を行うことで作成されるピクチャであり、動きベクトルなど加えたものから構成される。Ｂピクチャは双方向予測によってできるピクチャであり、動き予測に順方向、逆方向、双方向を加えたものである。予測画像として時間的に前および後に位置する、すでに符号化または復号化されたＩピクチャまたはＰピクチャを利用する。ここで、本実施形態では、Ｉピクチャを基準フレームデータとし、その基準フレームデータとの差分データとなるのがＰピクチャおよびＢピクチャである。
【００３７】
次に、図３を用いてピクチャの符号化から復号化までの手順を説明する。なお、図１での構成各部での動作説明と合わせて説明する。
【００３８】
（動画像符号化部２１での動作説明）
動画像符号化部２１において、元になる画像が図３に示す元画像１００として入力した場合を例に説明する。
なお、元画像１００でのフレーム内に記入してある記号について、説明する。
例えば、３番（フレーム）目の“２Ｉ”においては、最初の数字“２”が元画像１００の例で、３フレーム目のフレームであることを示す。次の文字“Ｉ”がピクチャの種類を示している。ここでは“Ｉ”のため、Ｉピクチャであることを示す。よって、“２Ｉ”は３フレーム目のＩピクチャであることを示している。
【００３９】
まず、双方向予測では符号化する画像フレームの前後のフレームを予測に用いるため、Ｂピクチャをいったんメモリに記憶し、順番を入れ換えてから符号化する。Ｂピクチャを符号化または復号化するには、その予測画面となるＩピクチャまたはＰピクチャを先に符号化することになる。ここでＧＯＰでは最初に符号化されるフレームはＩピクチャとなる。
したがって、１,２フレーム目のＢピクチャ（元画像１００の０Ｂ,１Ｂ）をメモリに記憶する。そして、最初に、３フレーム目のＩピクチャ（元画像１００の２Ｉ）を符号化（符号化画像１０１の２Ｉ）する。次に、符号化された３フレーム目のＩピクチャ（符号化画像１０１の２Ｉ）と、そのＩピクチャ（符号化画像１０１の２Ｉ）の最近の過去の符号化されたＩピクチャ（図示略）またはＰピクチャ（図示略）とにより、記憶した１,２フレーム目のＢピクチャ（元画像１００の０Ｂ,１Ｂ）を符号化する（符号化画像１０１の０Ｂ,１Ｂ）。次に、４,５フレーム目のＢピクチャ（元画像１００の３Ｂ,４Ｂ）を記憶し、６フレーム目のＰピクチャ（元画像１００の５Ｐ）を符号化する（符号化画像１０１の５Ｐ）。そして、３フレーム目の符号化したＩピクチャ（符号化画像１０１の２Ｉ）と６フレーム目の符号化したＰピクチャ（符号化画像１０１の５Ｐ）とにより、記憶した４,５フレーム目のＢピクチャ（元画像１００の３Ｂ,４Ｂ）を符号化する（符号化画像１０１の３Ｂ,４Ｂ）。
以上のような手順で、順次各ピクチャの符号化が行われる。
【００４０】
（データ分離部２２での動作説明）
データ分離部２２は、上述した手順で符号化された画像データである符号化画像１０１を、基準フレームデータとしてのＩピクチャと、その基準フレームデータとの差分データとなるＰピクチャおよびＢピクチャに分離する働きを行う。
図３のデータ分離画像１０２で示すように、データ分離部２２はＩピクチャで構成される１つの系列分離データ１０２ａと、ＰピクチャおよびＢピクチャで構成される１つの系列分離データ１０２ｂとの２種類のデータに分離する。このとき，各ピクチャのヘッダーにはシーケンシャルナンバーおよびデータの大きさなどの条件や規格などを付加している。
【００４１】
（送信部２３での動作説明）
２種類に分離されたピクチャは、それぞれ２系統の通信方式により送信される。
データ分離部２２で分離された基準フレームデータとなるＩピクチャの系列分離データ１０２ａはデータ量が大きいため伝送容量の大きい、送信部２３の電波送信部２４で送信される。この電波送信部２４はIEEE802.11b（Institute of Electronic and Electronics Engineers 802.11b）規格を用いて、1ch（チャンネル）の帯域を使用し送信を行う。
一方、データ分離部２２で分離された、基準フレームデータとの差分データとなるＰピクチャおよびＢピクチャの系列分離データ１０２ｂは送信部２３の光送信部２５で送信される。この光送信部２５は赤外線通信方式（InfraRed Data Association:IrDA）を用いて送信を行う。このようにして動画像送信装置２から符号化された２種類の系列分離データ１０２ａ，１０２ｂが送信される。
【００４２】
（受信部３０での動作説明）
上記の通信方法により、動画像受信装置３の受信部３０に構成される電波受信部３１および光受信部３２の２系統の受信方式により、それぞれ受信される。電波受信部３１および光受信部３２は、動画像送信装置２の送信部２３に構成される電波送信部２４および光送信部２５とそれぞれ対応した通信規格になっている。
受信された２種類の画像データは図３では、データ分離画像１０３の基準フレームデータとなるＩピクチャの系列分離データ１０３ａと、基準フレームデータとの差分データとなるＰピクチャおよびＢピクチャの系列分離データ１０３ｂで表している。
【００４３】
（データ結合部３３での動作説明）
データ結合部３３では、電波受信部３１および光受信部３２から受信される２系統の通信方式によるデータ送信速度の違いに対応するため、２種類の画像データをそれぞれ蓄積するバッファを備えている。そして、基準フレームデータとなるＩピクチャの系列分離データ１０３ａを基準に、各ピクチャのヘッダーに付加されたシーケンシャルナンバーおよびデータの大きさなどを読込む。そして、Ｉピクチャの系列分離データ１０３ａと、ＰピクチャおよびＢピクチャの系列分離データ１０３ｂを、データ結合画像１０４に示すように、それぞれ順番に戻す働きを行う。
【００４４】
（動画像復号化部３４での動作説明）
動画像復号化部３４において、データ結合部３３でデータ結合された画像データを符号化の逆変換（デコード）により復号画像１０５に変換することで、元画像１００と同様の画像となる。そして、D/A変換部３５によりデジタル信号はアナログ信号に変換され、最初に入力された動画像信号と同等な動画像信号に復元され、動画像受信装置３から動画像信号の出力が可能となる。
【００４５】
上述した、第１実施形態によれば以下の効果が得られる。
画像データを、データ分離部２２で、Ｉピクチャで構成される１つの系列分離データ１０２ａと、ＰピクチャおよびＢピクチャで構成される１つの系列分離データ１０２ｂとの２種類のデータに分離する。そして、２種類に分離された系列分離データ１０２ａ,１０２ｂを、送信部２３により、電波送信部２４でIEEE802.11bと、光送信部２５で赤外線との２系統の通信方式により送信する。
この動画像通信システム１の動画像送信装置２により、第三者によって、例えばIEEE802.11b規格の１ｃｈを使用して、系列分離データ１０２ａが傍受されたとしても、系列分離データ１０２ａのみでは利用できる画像データとして生成することはできない。そのため、画像データを保護することができ、秘匿性が向上する。また、例えば赤外線通信を使用して、系列分離データ１０２ｂが傍受されたとしても、系列分離データ１０２ｂのみでは利用できる画像データとして生成することはできない。よって、画像データを保護することができる。また、赤外線の直進性のため電波のような漏洩がなく、秘匿性が更に向上する。
また、受信部３０を構成する電波受信部３１および光受信部３２により、２種類に分離された系列分離データ１０２ａ,１０２ｂを、系列分離データ１０３ａ,１０３ｂとしてそれぞれ受信する。そして、データ結合部３３により分離された系列分離データ１０３ａ,１０３ｂを結合する。よって、受信側では元の分離前の画像データに復元できる。
また、データ量の多いＩピクチャで構成される系列分離データ１０２ａを、通信速度の速い電波送信部２４で送信する。そして、Ｉピクチャーと比較してデータ量の少ないＰピクチャおよびＢピクチャで構成される系列分離データ１０２ｂを、通信速度の比較的遅い光送信部２５で送信することで、動画像受信装置３での復元までのタイムラグを小さくできる効果もある。
【００４６】
次に、本発明の第２実施形態を図面に基づいて説明する。
図４は第２実施形態での動画像通信システム１の概略構成図である。図４を用いて、画像をＤＣＴ変換したＤＣ成分データを含むデータと、それ以外の成分とに分離する場合の動画像通信システム１の構成を簡単に説明する。
第２実施形態の場合は、画像データをＤＣＴ変換したところで、分離するため、動画像送信装置２においては、データ分離部２２が動画像符号化部２１内に包含される構成となる。また、動画像受信装置３においても同様に、データ結合部３３は動画像復号化部３４内に包含される構成となる。
その他の構成に関しては、第１実施形態で述べた構成と同様の構成となるため、構成各部の説明は省略する。
【００４７】
図５は、８ライン×８画素から構成されるブロックにＤＣＴ変換を行い、量子化を行ったときの説明図である。図５を用いてＤＣＴ変換および量子化について説明する。
ＤＣＴ変換は、８ライン×８画素から構成されるブロック単位で実行される。そして、この変換は、二次元マトリックスの乗算として計算され、その結果としてブロック内の画素数と同じ数である６４個の変換係数を得ることができる。そして、量子化は、ＤＣＴ変換して得られた変換係数ごとに、量子化のためのステップサイズを記憶した量子化テーブルを用いて係数単位に線形スカラー量子化を行う。この処理は、簡単な割り算で行うことができる。
【００４８】
図５において“４３”で示される部分がＤＣ係数に対して量子化された係数としてのＤＣ（直流）成分の部分である。また、右方向に進むにつれて、水平方向における高い周波数成分に対する量子化された係数を示している。そして、ＤＣ成分の下方向に進むにつれて垂直方向の高い周波数成分に対する量子化された係数を示している。また、ＤＣ成分以外はＡＣ（交流）成分と呼んでいる。
【００４９】
図６は、量子化された係数を一次元に並べ直すための、ジグザグスキャンの説明図である。そして、図６は６４個の変換係数の位置に対し、スキャンの順番に番号を付記した図である。なお、ｘおよびｙは基底関数である。また、(x,y)=(0,0)の位置がＤＣ成分であり、ここから付記した番号および矢印で示す順番で、量子化された係数を低い周波数からから高い周波数成分へとジグザグス状にスキャンを行う。
ジグザグスキャンは、量子化された係数に対し、エントロピー符号化としてハフマン符号化するため行われる。また、ハフマン符号化されることでＤＣＴ符号化が終了し、画像データが圧縮できる。
【００５０】
第２実施形態である、画像をＤＣＴ変換したＤＣ成分データを含むデータと、それ以外の成分データとに分離する場合において、分離する時点は、ハフマン符号化する前で、ジグザグスキャンを行った後の段階において行うことになる。
また、ＤＣ成分データを含むデータとは、図６のスキャン番号の“０から２”、または、“０から５”までの位置を言っている。そして、ＤＣ成分以外の成分データとは、“３から６３”、または、“６から６３”までを言っている。
【００５１】
図７に、ＤＣ成分データを含むデータと、ＤＣ成分以外の成分データとに分離する場合の概略構成および送受信され再度復号されるまでの説明図を示す。図７を用いて、図４の構成と合わせて説明する。
動画像符号化部２１において、量子化後のジグザグスキャンにより、ＤＣ成分を含むデータと、ＤＣ成分以外の成分データが一次元データ１１０として符号化される。ここではＤＣ成分を、例えばスキャン番号の“０から５”とし、ＤＣ成分以外の成分データを、例えば“６から６３”として示されている。そのデータの先頭にはヘッダーが付加されており、さまざまな設定およびデータの条件および規格が付加されている。
【００５２】
次に、データ分離部２２により、ジグザグスキャンにより一次元のデータは分離データ１１１に変換される。分離データ１１１は、ＤＣ成分を含むデータ、例えば“０から５”の系列分離データ１１１ａと、ＤＣ成分以外の成分データ、例えば“６から６３”の系列分離データ１１１ｂとに分離された構成になる。このとき、それぞれ、不足したデータ、例えば、“０から５”の系列分離データ１１１ａの場合は“６から６３”の部分、および、“６から６３”の系列分離データ１１１ｂの場合は“０から５”の部分をダミーデータ、例えば「０」に置き換えることで、データを構成する。そして、分離された双方のデータに対してヘッダーが付加され、分離された情報などが書き込まれることになる。また、分離された双方のデータに対して、動画像符号化部２１によりエントロピー符号化である、ハフマン符号化を行う。
【００５３】
そして、分離データ１１１のＤＣ成分を含むデータである系列分離データ１１１ａとＤＣ成分以外の成分データである系列分離データ１１１ｂは、動画像送信装置２の送信部２３から、動画像受信装置３の受信部３０にデータを送信する。ＤＣ成分を含む系列分離データ１１１ａは電波送信部２４により送信され、ＤＣ成分以外の成分データである系列分離データ１１１ｂは光送信部２５から送信される。電波送信部２４は、本実施形態ではIEEE802.11b規格を用いて、1chの帯域を使用し送信を行う。一方、光送信部２５は、赤外線を用いて送信を行う。
【００５４】
上記の通信方法により、動画像受信装置３では電波受信部３１および光受信部３２の２系統の受信方式により、それぞれ受信される。電波受信部３１および光受信部３２は、動画像送信装置２側の電波送信部２４および光送信部２５とそれぞれ対応した通信規格になっている。
【００５５】
送信された分離データ１１１は分離データ１１２として受信される。受信された分離データ１１２は、ＤＣ成分を含むデータである系列分離データ１１２ａとＤＣ成分以外の成分データである系列分離データ１１２ｂから構成される。
そして、データ結合部３３では双方のデータに対しバッファを備えている。そして、双方の系列分離データ１１２ａ，１１２ｂのヘッダーに付加されている、分離された情報などを読込み順次結合していくことで、送信前の一次元データ１１０と同様の結合データ１１３を得る。そして、動画像復号化部３４で、逆エントロピー変換、逆量子化、逆ＤＣＴ変換など行い、復号化が完了する。
【００５６】
上述したように、画像をＤＣＴ変換したＤＣ成分データを含むデータとそれ以外の成分データは、データ分離部２２で分離され、データ結合部３３で結合されることが可能となる。
【００５７】
上述した、第２実施形態によれば以下の効果が得られる。
画像データを、データ分離部２２で、画像をＤＣＴ変換したＤＣ成分データを含むデータで構成される１つの系列分離データ１１１ａと、画像をＤＣＴ変換したＤＣ成分データを含むデータ以外の成分データで構成される１つの系列分離データ１１１ｂとの２種類のデータに分離する。そして、２種類に分離された系列分離データ１１１ａ,１１１ｂを、送信部２３により、電波送信部２４でIEEE802.11bと、光送信部２５で赤外線との２系統の通信方式により送信する。よって、この動画像通信システム１により、第三者によって、例えば赤外線を使用して、系列分離データ１１２ｂが傍受されたとしても、画像をＤＣＴ変換したＤＣ成分データを含むデータ以外の成分データで構成される系列分離データ１０２ａのみでは利用できる画像データとして生成することはできない。そのため、画像データを保護することができ、秘匿性が向上する。また、赤外線の直進性のため電波のような漏洩がなく、秘匿性が更に向上する。
また、受信部３０を構成する電波受信部３１および光受信部３２により、２種類に分離された系列分離データ１１１ａ,１１１ｂを、系列分離データ１１２ａ,１１２ｂとしてそれぞれ受信する。そして、データ結合部３３により分離された系列分離データ１１２ａ,１１２ｂを結合する。よって、受信側では元の分離前の画像データに復元できる。
また、データ量の多いＤＣ成分を含むデータで構成される系列分離データ１０２ａを、通信速度の速い電波送信部２４で送信する。そして、ＤＣ成分を含むデータと比較してデータ量の少ない、ＤＣ成分データを含むデータ以外の成分データで構成される系列分離データ１０２ｂを、通信速度の比較的遅い光送信部２５で送信することで、動画像受信装置３での復元までのタイムラグを小さくできる効果もある。
【００５８】
次に、本発明の第３実施形態を図面に基づいて説明する。
図８は、第３実施形態での動画像通信システム１の概略構成図である。図８を用いて、２種類の画像データが暗号化される場合に、暗号キーデータと暗号化データに変換し送信および受信する動画像通信システム１の構成を簡単に説明する。
第３実施形態の場合は、第１実施形態の動画像通信システム１に対し、下記の点が異なる。動画像送信装置２において、符号化され分離された画像データを、暗号化する暗号化部２６を備えている点が異なる。また、動画像受信装置３において、暗号化された画像データを受信して、暗号を復号する暗号復号化部３６を備えている点が異なる。
【００５９】
また、第３実施形態は、暗号化方法として乱数を用いた例である。詳細には、暗号キーと乱数発生用数式を用いることで、暗号キーをスタートキーとして乱数発生用数式により発生させた乱数系列と元のデータとでXOR（足し算）することにより暗号化する方法である。
一方、暗号化されたデータを復号するには、暗号化と同様の暗号キーと乱数発生用数式を用いることで、暗号キーをスタートキーとして乱数発生用数式により発生させた乱数系列と暗号化されたデータとで逆XOR（引き算）することで元のデータに復号されることになる。
【００６０】
図８において、データ分離部２２で画像データを第１実施形態と同様に基準フレームデータとその基準フレームデータとの差分データとに分離した場合の暗号化および暗号復号化について説明する。
暗号キーを送る場合は、基準フレームデータとなるＩピクチャの系列分離データ１０２ａのヘッダーとは別に、データ分離部２２で、暗号キーを送信するための別のヘッダーを設けて、所定のシーケンシャルナンバーを付加し、その付加されたナンバーは暗号キーであるとして送信する方法を取っている。また、乱数発生用数式は暗号化部２６に記憶されている。
そして、双方の分離された系列分離データ１０２ａ,１０２ｂは暗号化部２６で、外部から入力された暗号キーをスタートキーとして、乱数発生用数式により発生させた乱数系列により、基準フレームデータとなるＩピクチャの系列分離データ１０２ａおよび基準フレームデータとの差分データとなるＰピクチャおよびＢピクチャの系列分離データ１０２ｂが暗号化される。
暗号化されたＩピクチャの系列分離データ１０２ａおよびＰ,Ｂピクチャの系列分離データ１０２ｂは、第１実施形態と同様に送信部２３から動画像受信装置３へ送信される。送信の説明は第１実施形態と同様のため省略する。
【００６１】
送信されたデータは動画像受信装置３の受信部３０で受信される。受信した暗号化されたＩピクチャの系列分離データ１０２ａは暗号復号化部３６で、暗号キーを設定したヘッダーから読み込む。そして、この暗号キーをスタートキーとして、暗号復号化部３６内に記憶されている暗号化部２６と同様の乱数発生用数式により、乱数系列を発生させる。そして、受信した暗号化されたＩピクチャの系列分離データ１０３ａ、および、受信した暗号化されたＰ,Ｂピクチャの系列分離データ１０３ｂとに対して同期を取りながらそれぞれ暗号の復号化を行う。
データ結合部３３以降の動作は第１実施形態と同様のため説明を省略する。
【００６２】
上述した、第３実施形態によれば以下の効果が得られる。
画像データを、データ分離部２２で、Ｉピクチャで構成される１つの系列分離データ１０２ａと、ＰピクチャおよびＢピクチャで構成される１つの系列分離データ１０２ｂとの２種類のデータに分離して、暗号化部２６で暗号キーと乱数発生用数式により系列分離データ１０２ａ,１０２ｂの双方を暗号化する。そして、暗号化された系列分離データ１０２ａ,１０２ｂを、電波送信部２４でIEEE802.11bと、光送信部２５で赤外線との２系統の通信方式により送信できる。よって、この動画像通信システム１により、第三者により、例えば赤外線を使用して、系列分離データ１０２ｂが傍受されたとしても、暗号化されていることで復号化が簡単にできない。更に、解読されてもＰ,Ｂピクチャで構成される系列分離データ１０２ｂのみでは利用できる画像データとして生成することはできない。そのため、第三者の傍受に対する安全性が更に向上し、秘匿性が向上する。また、光通信を使用したことで、光の直進性のため電波のような漏洩がなく、秘匿性が更に向上する。
また、受信部３０を構成する電波受信部３１および光受信部３２により、２種類に分離された系列分離データ１０２ａ,１０２ｂを、系列分離データ１０３ａ,１０３ｂとしてそれぞれ受信する。そして、系列分離データ１０３ａに付加する形で送られた暗号キーをヘッダーから読取り、その暗号キーと、暗号復号化部３６に記憶されている、暗号化部２６に記憶した乱数発生用数式と同様の乱数発生用数式とを用いて暗号復号化部３６で、系列分離データ１０３ａ,１０３ｂの双方の暗号を復号化する。そして、データ結合部３３により分離された系列分離データ１０３ａ,１０３ｂを結合する。よって、受信側では元の分離前の画像データに復元できる。
また、データ量の多いＩピクチャで構成され暗号化された系列分離データ１０２ａを、通信速度の速い電波送信部２４で送信する。そして、Ｉピクチャーと比較してデータ量の少ないＰピクチャおよびＢピクチャで構成され暗号化された系列分離データ１０２ｂを、通信速度の比較的遅い光送信部２５で送信することで、動画像受信装置３での復元までのタイムラグを小さくできる効果もある。
【００６３】
なお、本発明は上述した実施形態に限定されず、上述した実施形態に種々の変更や改良など加えることが可能である。変形例を以下に述べる。
（変形例１）図９は動画像受信装置３に表示部４１を設けた場合の概略構成図である。図９に示す構成のように、D/A変換部３５を設けず、動画像復号化部３４で復号化された動画像データを、制御回路４０により動画像データに基づき、例えばＬＣＤ表示用の画像データに変換及び駆動し、ＬＣＤなどの表示部４１に表示させる構成としても良い。これにより、画像データを受信し、結合し、復号化し、更に表示することができる。
【００６４】
（変形例２）図１０は動画像通信システム１で暗号化を行う場合の変形例を示す概略構成図である。図１０に示す構成のように、データ分離部２２を用いずに、符号化され暗号化された画像データは、電波送信部２４で送信し、暗号キーは光送信部２５で送信することでも良い。
その場合、受信側もデータ結合部３３を用いずに、光受信部３２で暗号キーを受信し、電波受信部３１で受信した暗号化された符号化データを乱数発生用数式を用いて、暗号を復号することになる。これにより、動画像通信システム１の構成が簡単になる。なお、この例では、符号化され暗号化された画像データと暗号キーがデータの復号化に必要なデータとなる。
【００６５】
（変形例３）前記各実施形態では、２系統の送信部２３および受信部３０として、電波送信部２４と光送信部２５、および、それに対応する電波受信部３１と光受信部３２とを用いているが、この通信方法に限らず、規格の異なる通信でも良い。例えば、IEEE802.11b規格と、IEEE802.11a規格とでそれぞれ通信する構成にしても良い。これにより、どちらか一方のデータが、どちらか一方の通信方式によって第三者に傍受されても、そのデータだけでは、利用できる画像データとして生成できない。よって、画像データを保護でき、秘匿性が向上する動画像通信システムが可能となる。
【００６６】
（変形例４）前記各実施形態では、２系統の送信部２３および受信部３０として、電波送信部２４と光送信部２５、および、それに対応する電波受信部３１と光受信部３２とを用いているが、この通信方法に限らず、規格の異なる通信でも良い。例えば、IEEE802.11b規格とブルーツゥースで、それぞれ通信する構成にしても良い。これにより、どちらか一方のデータが、どちらか一方の通信方式によって第三者に傍受されても、そのデータだけでは、利用できる画像データとして生成できない。よって、画像データを保護でき、秘匿性が向上する動画像通信システムが可能となる。
【００６７】
（変形例５）前記各実施形態では、２系統の送信部２３および受信部３０として、電波送信部２４と光送信部２５、および、それに対応する電波受信部３１と光受信部３２とを用いているが、この通信方法に限らず、同一の規格を用いた通信であるが、論理的に独立した通信を用いても良い。例えば、IEEE802.11bの通信規格であり、通信帯域として1chと5chとを使用してそれぞれ通信する構成であっても良い。これにより、どちらか一方のデータが、どちらか一方の通信方式によって第三者に傍受されても、そのデータだけでは、利用できる画像データとして生成できない。よって、画像データを保護でき、秘匿性が向上する動画像通信システムが可能となる。
【００６８】
（変形例６）データ分離部２２を用いずに、符号化されたデータは光送信部２５で送信し、暗号キーは電波送信部２４で送信することでも良い。その場合、受信側もデータ結合部３３を用いずに、電波受信部３１で暗号キーを受信し、光受信部３２で受信した符号化データを乱数発生用数式を用いて、暗号の復号化をすることになる。
【００６９】
（変形例７）第３実施形態において、Ｉピクチャと、Ｐ,Ｂピクチャに分離しそれぞれ暗号化を行い、Ｉピクチャで構成される系列分離データ１０２ａ側のヘッダーに暗号キーを付加して送信部２３から送信した。しかし、この方法に限らず、Ｐ,Ｂピクチャで構成される系列分離データ１０２ｂ側のヘッダーに暗号キーを付加して送信部２３から送信しても良い。このようにしても、第三者の傍受に対する安全性は向上し、秘匿性が向上する。
【００７０】
（変形例８）第３実施形態において、Ｉピクチャと、Ｐ,Ｂピクチャに分離しそれぞれ暗号化を行い、Ｉピクチャで構成される系列分離データ１０２ａ側のヘッダーに暗号キーを付加して送信部２３から送信した。しかし、この方法に限らず、ＤＣＴ変換したＤＣ成分を含むデータと、ＤＣ成分を含むデータ以外の成分データとに分離して、それぞれ暗号化を行い、ＤＣ成分を含むデータで構成される系列分離データ１１１ａ側のヘッダーに暗号キーを付加して送信部２３から送信しても良い。このようにしても、第三者の傍受に対する安全性は向上し、秘匿性が向上する。
【００７１】
（変形例９）第３実施形態において、Ｉピクチャと、Ｐ,Ｂピクチャに分離しそれぞれ暗号化を行い、Ｉピクチャで構成される系列分離データ１０２ａ側のヘッダーに暗号キーを付加して送信部２３から送信した。しかし、この方法に限らず、ＤＣＴ変換したＤＣ成分を含むデータと、ＤＣ成分を含むデータ以外の成分データとに分離して、それぞれ暗号化を行い、ＤＣ成分を含むデータ以外の成分データで構成される系列分離データ１１１ｂ側のヘッダーに暗号キーを付加して送信部２３から送信しても良い。このようにしても、第三者の傍受に対する安全性は向上し、秘匿性が向上する。
【００７２】
（変形例１０）暗号キーは所定の期間で変更することで、乱数発生用数式のスタートキーとして所定の期間で変更できるようにしても良い。これにより、暗号キーが傍受され解読されるリスクを軽減することが可能となる。
【００７３】
（変形例１１）乱数発生用数式も動画像送信装置２および動画像受信装置３に複数記憶させ、別の暗号キーを付加し、どの乱数発生用数式を使用するかを指示することでも良い。これにより、画像データが傍受され解読されるリスクを更に軽減することができ、秘匿性が向上する。
【００７４】
（変形例１２）どの乱数発生用数式を使用するか指示する別の暗号キーも所定の期間で変更することにしても良い。これにより、画像データが傍受され解読されるリスクを更に軽減することが可能となる。
【００７５】
（変形例１３）乱数発生用数式のスタートキーとしての暗号キーと、どの乱数発生用数式を使用するかを指示する別の暗号キーを所定の期間で変更することで、乱数発生用数式のスタートキーとして所定の期間で変更し、さらに使用する乱数発生用数式も所定の期間で変更することにしても良い。これにより、暗号キーが傍受され解読されるリスクを更に軽減することが可能となる。
【００７６】
（変形例１４）本発明は、動画像データとして説明したが、静止画像で実施しても良い。
【００７７】
（変形例１５）本発明は、無線通信を用いて画像データを送信する動画像送信装置および画像データを受信する動画像受信装置として利用できる。また、動画像送信装置が設けられた、ＤＶＤ（Digital Versatile Disc）再生装置、ネットワークを介しての端末装置、ＰＣ（Personal Computer）、デジタルカメラ、デジタルビデオカメラなどのオーディオ関連機器や家電関連機器に応用できる。また、動画像受信装置が設けられたプロジェクタ、ＰＣ、ＰＤＡ（Personal Digital Assistant）、ＴＶ（Television）、携帯電話機などのオーディオ関連機器や家電関連機器に応用できる。
【００７８】
前記実施形態および変形例から把握される技術的思想を以下に記載する。
（技術的思想１）  請求項２または請求項３に記載の画像通信方法であって、前記データ分離工程で分離され前記データ結合工程で結合される２種類の画像データは、動画像データであり、基準フレームデータと基準フレームとの差分データであることを特徴とする画像通信方法。
この画像通信方法により、２種類の画像データとして、基準フレームデータと基準フレームとの差分データとに分離され、送信できる。また、どちらか一方の画像データが第三者によって傍受されても、その画像データだけでは、利用できる画像データとして生成できない。よって、画像データを保護することができ、秘匿性が向上する。
【００７９】
（技術的思想２）  請求項２または請求項３に記載の画像通信方法であって、前記データ分離工程で分離され前記データ結合工程で結合される２種類の画像データは、画像を離散コサイン変換したＤＣ成分データを含むデータとそれ以外の成分データであることを特徴とする画像通信方法。
この画像通信方法により、２種類の画像データとして、画像を離散コサイン変換したＤＣ成分データを含むデータとそれ以外の成分データとに分離され、送信できる。また、どちらか一方の画像データが第三者によって傍受されても、その画像データだけでは、利用できる画像データとして生成できない。よって、画像データを保護することができ、秘匿性が向上する。
【００８０】
（技術的思想３）  請求項２または請求項３に記載の画像通信方法であって、前記データ分離工程で分離され前記データ結合工程で結合される２種類の画像データは、暗号キーデータを含む前記分離された画像データの暗号化データと、それ以外の前記分離された画像データの暗号化データであることを特徴とする画像通信方法。
この画像通信方法により、２種類の分離された画像データに対して、暗号キーデータを含む分離された画像データの暗号化データと、それ以外の分離された画像データの暗号化データとに変換され、送信できる。また、どちらか一方のデータが第三者によって傍受されても、そのデータだけでは、利用できる画像データとして生成できない。よって、画像データを保護することができ、秘匿性が向上する。
【００８１】
（技術的思想４）  請求項１に記載の画像通信方法であって、記符号化を含む所定の処理とは符号化処理ののちの暗号化処理を含み、前記少なくとも２系統の送信工程および受信工程で伝送される前記データは前記暗号化処理された暗号化データと暗号キーデータであることを特徴とする画像通信方法。
この画像通信方法により、符号化を含む所定の処理とは符号化処理ののちの暗号化処理を含み、２系統の送信工程および受信工程で伝送されるデータは暗号化処理された暗号化データと暗号キーデータとの２種類のデータとして送信できる。また、どちらか一方のデータが第三者によって傍受されても、そのデータだけでは、利用できる画像データとして生成できない。よって、画像データを保護することができ、秘匿性が向上する。
【００８２】
（技術的思想５）  請求項１〜請求項３のいずれか一項に記載の画像通信方法であって、前記少なくとも２系統の送信工程および受信工程は、各系統のうち少なくとも２系統で通信方式が異なり、その異なる通信方式が電波通信と光通信を含むことを特徴とする画像通信方法。
この画像通信方法により、２系統の送信工程および受信工程は、電波通信と光通信でそれぞれ通信できる。また、どちらか一方の通信方式によってデータが第三者に傍受されても、そのデータだけでは、利用できる画像データとして生成できない。よって、画像データを保護することができる。また、光通信を使用したことで、光の直進性のため電波のような漏洩がなく、秘匿性が向上する。
【００８３】
（技術的思想６）  請求項１〜請求項３のいずれか一項に記載の画像通信方法であって、前記少なくとも２系統の送信工程および受信工程は、IEEE802.11b通信とIEEE802.11a通信であることを特徴とする画像通信方法。
この画像通信方法により、２系統の送信工程および受信工程は、IEEE802.11b通信とIEEE802.11a通信でそれぞれ通信できる。また、どちらか一方の通信方式によってデータが第三者に傍受されても、そのデータだけでは、利用できる画像データとして生成できない。よって、画像データを保護することができ、秘匿性が向上する。
【００８４】
（技術的思想７）  請求項１〜請求項３のいずれか一項に記載の画像通信方法であって、前記少なくとも２系統の送信工程および受信工程は、IEE802.11b通信とブルーツゥース通信あることを特徴とする画像通信方法。
この画像通信方法により、２系統の送信工程および受信工程は、IEEE802.11b通信とブルーツゥース通信でそれぞれ通信できる。また、どちらか一方の通信方式によってデータが第三者に傍受されても、そのデータだけでは、利用できる画像データとして生成できない。よって、画像データを保護することができ、秘匿性が向上する。
【００８５】
（技術的思想８）  請求項１〜請求項３のいずれか一項に記載の画像通信方法であって、前記少なくとも２系統の送信工程および受信工程は、IEE802.11b通信であり、通信帯域の異なる通信であることを特徴とする画像通信方法。
この画像通信方法により、２系統の送信工程および受信工程は、同一の規格を用いたIEEE802.11b通信規格であるが、論理的に独立した、通信帯域として、例えば1chと5chとを使用してそれぞれ通信できる。また、どちらか一方の通信方式によってデータが第三者に傍受されても、そのデータだけでは、利用できる画像データとして生成できない。よって、画像データを保護することができ、秘匿性が向上する。
【００８６】
（技術的思想９）  請求項４〜請求項６のいずれか一項に記載の画像通信システムであって、前記少なくとも２系統の送信部および受信部は、IEEE802.11b通信とIEEE802.11a通信であることを特徴とする画像通信システム。
この画像通信システムにより、２系統の送信部および受信部は、IEEE802.11b通信とIEEE802.11a通信でそれぞれ通信できる。また、どちらか一方の通信方式によってデータが第三者に傍受されても、そのデータだけでは、利用できる画像データとして生成できない。よって、画像データを保護することができ、秘匿性が向上する。
【００８７】
（技術的思想１０）  請求項４〜請求項６のいずれか一項に記載の画像通信システムであって、前記少なくとも２系統の送信部および受信部は、IEE802.11b通信とブルーツゥース通信であることを特徴とする画像通信システム。
この画像通信システムにより、２系統の送信部および受信部は、IEEE802.11b通信とブルーツゥース通信でそれぞれ通信できる。また、どちらか一方の通信方式によってデータが第三者に傍受されても、そのデータだけでは、利用できる画像データとして生成できない。よって、画像データを保護することができ、秘匿性が向上する。
【００８８】
（技術的思想１１）  請求項４〜請求項６のいずれか一項に記載の画像通信システムであって、前記少なくとも２系統の送信部および受信部は、IEE802.11b通信であり、通信帯域の異なる通信であることを特徴とする画像通信システム。
この画像通信システムにより、２系統の送信部および受信部は、同一の規格を用いたIEEE802.11b通信規格であるが、論理的に独立した、通信帯域として、例えば1chと5chとを使用してそれぞれ通信できる。また、どちらか一方の通信方式によってデータが第三者に傍受されても、そのデータだけでは、利用できる画像データとして生成できない。よって、画像データを保護することができ、秘匿性が向上する。
【図面の簡単な説明】
【００８９】
【図１】本発明の第１実施形態に係る動画像通信システムの概略構成図。
【図２】ＭＰＥＧ１でのデータ構造図。
【図３】動画像データの流れを示す説明図。
【図４】本発明の第２実施形態に係る動画像通信システムの概略構成図。
【図５】ブロックにＤＣＴ変換及び量子化を行った説明図。
【図６】ジグザグスキャンの説明図。
【図７】動画像データの流れを示す説明図。
【図８】本発明の第３実施形態に係る動画像通信システムの概略構成図。
【図９】動画像受信装置に表示部を設けた場合の概略構成図。
【図１０】動画像通信システムで暗号化を行う場合の変形例を示す概略構成図。
【符号の説明】
【００９０】
１…画像通信システムとしての動画像通信システム、２…画像送信装置としての動画像送信装置、３…画像受信装置としての動画像受信装置、２０…A/D変換部、２１…動画像符号化部、２２…データ分離部、２３…送信部、２４…電波送信部、２５…光送信部、２６…暗号化部、３０…受信部、３１…電波受信部、３２…光受信部、３３…データ結合部、３４…動画像復号化部、３５…D/A変換部、３６…暗号復号化部、１００…元画像、１０１…符号化画像、１０２…データ分離画像、１０２ａ…系列分離データ、１０２ｂ…系列分離データ、１０３…データ分離画像、１０３ａ…系列分離データ、１０３ｂ…系列分離データ、１０４…データ結合画像、１０５…復号画像、１１０…一次元データ、１１１…分離データ、１１１ａ…系列分離データ、１１１ｂ…系列分離データ、１１２…分離データ、１１２ａ…系列分離データ、１１２ｂ…系列分離データ、１１３…結合データ。
【図１】
2005204220.tif 000003
【図２】
2005204220.tif 000004
【図３】
2005204220.tif 000005
【図４】
2005204220.tif 000006
【図５】
2005204220.tif 000007
【図６】
2005204220.tif 000008
【図７】
2005204220.tif 000009
【図８】
2005204220.tif 000010
【図９】
2005204220.tif 000011
【図１０】
2005204220.tif 000012